(57)【要約】【課題】本発明は、搬送ロボットが向きを変更する場合に、側面に障害物があっても衝突を防止するようにして追尾が継続できるようにした搬送ロボットを実現することを目的とする。【解決手段】搬送者を認識して所定距離を保って追尾する搬送ロボットであって、前記搬送ロボットに設けられた搬送者及び周囲の障害物等を検知する検知手段と、走行手段と、前記走行手段を制御する走行制御手段を具備し、前記検知手段は搬送ロボットが搬送者の移動に従って転回しようとする角度に応じて障害物を検知する距離を決定し、前記走行制御部は、転回しようとするときに、前記検知手段が障害物を検知したときには、転回を中止する搬送ロボットを提供する。【選択図】図３
2004126801.tif 000002
【特許請求の範囲】
【請求項１】
搬送者を認識して所定距離を保って追尾する搬送ロボットであって、
前記搬送ロボット外面に設けられた搬送者及び周囲の障害物等を検知する検知手段と、
走行手段と、
前記走行手段を制御する走行制御手段を具備し、
前記検知手段は搬送ロボットが搬送者の移動に従って転回しようとする角度に応じて障害物を検知する距離を決定し、
前記走行制御部は、転回しようとするときに前記検知手段が障害物を検知したときには、転回動作を中止することを特徴とする搬送ロボット。
【請求項２】
前記走行制御手段は前記転回動作を中止した後、所定距離前進して再度追跡対象物の追尾動作を再開することを特徴とした請求項１記載の搬送ロボット。
【発明の詳細な説明】
【０００１】
【発明の属する技術分野】
本発明は、現金・有価証券類・薬品などの重要物を安全に搬送する重要物搬送システムに関し、特に、搬送を担当する者を支援する重要物の搬送ロボットに関する。
【０００２】
【従来の技術】
従来、現金等の搬送は、２人以上の警備員が護送しながら、ジュラルミンケースや鞄に収納して搬送していた。この搬送中において、賊に襲われる危険性が最も高くなるのは、現金輸送車から金融機関等の店舗内までにおけるオープンスペースを搬送している最中である。すなわち、現金輸送車は駐車場や道路上に駐車されるため、金融機関の店舗内までの間は、一般公衆でもジュラルミンケースや鞄に近づくことが可能な状況となり、非常に危険性が高くなる。
特開平８−１５０９３６公報には、強盗が難しく、たとえ強盗にあっても容易に持ち運びができず、かつ事故にあっても容易に検知することができる現金輸送システムが提案されている。この従来の現金輸送システムは、現金を収納する容器が少人数で持ち運びできない重さとし、現金の積み降ろしを建物内にてできる構造とするなどして、搬送中の強盗からの脅威を回避しようとしている（特許文献１）。
【０００３】
【特許文献】特開平８−１５０９３６号公報
【０００４】
【発明が解決しようとする課題】
しかし、従来の現金収納容器は、少人数で持ち運ぶことを困難にする構造としており、警備員の現金収納容器を搬送するときにも、非常な労力が必要となる。このため、搬送中には、多くの人数を要する上に、作業中の周囲への注意が散漫となり、効率的に危険を回避できないという問題がある。
また、一般に、金融機関の全ての店舗等にて、現金輸送車を建物内部まで乗入可能とするのは困難であり、かかる現金収納容器の使用はかなり限定された場合になる。このため、現金輸送車を内部に入れることができない場合は、駐車場や道路上から金融機関の店舗内までの間の運搬作業に長時間が必要となるので、却って危険度が増大するおそれがある。
そこで、警備員を認識して自動的に追尾できる搬送ロボットを使用して警備員が周囲を十分警戒しつつ、重要物を安全に搬送することが考えられるが、この搬送ロボットを実現するためには以下の課題があった。
即ち、搬送ロボットは搬送者を測距センサ等にて認識して追尾走行する
しかし、搬送者が進路を変えた場合には、搬送ロボットは搬送者に追従しようとして進行方向を変更する。そして、搬送ロボットの胴体が矩形である場合には、向きの変更、転回動作によって側面にある障害物に衝突する恐れがある。
そこで、本発明の目的は、搬送ロボットが向きを変更する場合に、側面に障害物があっても衝突を防止するようにして追尾が継続できるようにした搬送ロボットを実現することにある。
【０００５】
【課題を解決するための手段】
かかる課題を解決するために、本発明は、搬送者を認識して所定距離を保って追尾する搬送ロボットであって、前記搬送ロボットに設けられた搬送者及び周囲の障害物等を検知する検知手段と、走行手段と、前記走行手段を制御する走行制御手段を具備し、前記検知手段は搬送ロボットが搬送者の移動に従って転回しようとする角度に応じて障害物を検知する距離を決定し、前記走行制御部は、転回しようとするときに、前記検知手段が障害物を検知したときには、転回を中止する搬送ロボットを提供する。
また、好ましくは、前記走行制御手段は前記転回動作を中止した後、所定距離前進して再度追跡対象物の追尾動作を再開する搬送ロボットを提供する。
かかる構成により、周囲の障害物に衝突することなく搬送者を自動追尾して走行することができる。
【０００６】
【発明の実施の形態】
本発明にかかる搬送ロボットを現金輸送システムに用いた例を説明する。図１は、現金輸送システムの構成図である。現金輸送システムは、金融機関の本店６から複数の支店７へ必要な現金、有価証券、各種債権などの重要物を集配送するシステムである。現金輸送システムは、重要物の搬送を担当する警備員２と、重要物を収納及び運搬する搬送ロボット１とから構成される。
警備員２は、搬送ロボット１が警備員２を容易に追尾できるように回帰反射材２２を織り込んだ警備服を着用し、搬送ロボット１に対して種々の指示を出すためのリモコン２１（ｂ）を所持している。図２は、制服着用時の警備員２（ａ）と、リモコン２１の外観を示す。警備員２の制服には、回帰反射材２２が織り込まれており、後述する撮影部１６から照射される照明光を回帰反射する。このため、撮影部１６にて照明を投光しているときに撮影された画像において、回帰反射材が高輝度になる。また、リモコン２１は、液晶表示部２１１と各種信号を送出する操作部２１２を具備しており、警備員２が搬送ロボット１に指示を与え、搬送ロボット１の状態を表示する。
一方、搬送ロボット１は、階段の登り／降り、及び平坦な道を走行する走行部１８を具備し、重要物を収納する重要物収納庫１５を搭載している。また、搬送ロボット１は、測距センサ技術や画像処理技術を応用して、自立して警備員２を追尾しながら走行する。なお、搬送ロボット１は、現金輸送車３への登り／降りを現金輸送車３の荷室から地上への階段式のスロープを用いる。
【０００７】
次に、現金輸送システムの概略動作について説明する。先ず、金融機関の本店６において、警備員２は、各支店７に搬送する現金等を重要物収納庫１８に収納する。警備員２がリモコン２１を操作して、搬送ロボット１を追尾モードに設定する。この追尾モードでは、搬送ロボット１が警備員２と約１ｍ程の間隔を保ちながら警備員２の後を追尾する。警備員２は、現金輸送車３の荷室へのスロープ３１前まで搬送ロボット１誘導し、リモコン２１を操作して搬送ロボット１の追尾モードを終了し、待機モードに設定する。そして、警備員２は、リモコン２１を操作し、搬送ロボット１を現金輸送車３に乗車させるとともに、乗車完了とともに待機モードに設定される。
その後、警備員２は、本店６から現金輸送車３を運転して、金融機関の支店７の駐車場まで移動する。支店７の駐車場では、警備員２は、リモコン２１を操作して、現金輸送車３から搬送ロボット１を降車させる。降車が完了すると、警備員２は、リモコン２１を操作し、搬送ロボット１を追尾モードに設定する。警備員２は、支店７駐車場から支店７内に進む。警備員２は、現金等を自ら持つ必要が無いので、強盗の危険など周囲への警戒を十分行いながら支店７内に入る。搬送ロボット１は、現金等を搭載して警備員２を追尾しながら支店７内に入る。支店７内の安全な場所にて警備員２は、リモコン２１を操作して搬送ロボット１を待機モードに設定する。警備員２は、搬送ロボット１に対して、収納庫制御信号をリモコン２１から送信する。搬送ロボット１は、収納庫制御信号を受信した後に音声入力を受けると、当該音声が重要物収納庫１５を制御する権限を有する者の音声か否かを照合を行う。ここで、権限者の音声であれば、重要物収納庫１５の扉を開放する。ここで、権限を有する者は、搬送を担当している警備員２であっても良いし、各支店７の担当者としても良い。警備員２は、開放された重要物収納庫１５から配送目的である現金等を取出し、支店７の担当者に渡す。また、集金した現金を重要物収納庫１５に収納する。収納が完了すると、再度リモコン２１を操作し、搬送ロボット１の重要物収納庫１５を閉扉及び施錠する。
再び、警備員２は、搬送ロボット１を追尾モードに設定し、支店７の駐車場に向かう。支店７駐車場にて現金輸送車３内まで搬送ロボット１を誘導し、追尾モードを終了させ待機モードに設定する。かかる一連の動作を各支店７にて行い、最後に本店６に戻る。
現金等の重要物を搬送している最中に、搬送ロボットが強盗に襲われた場合の動作について説明する。強盗に襲われると、警備員２は搬送ロボット１を気にせずに、自らの身の安全を確保する。そもそも、本システムの場合、警備員２は、現金等を直接手に持っておらず身軽な状態にあり、常に周囲を警戒しているので、従来よりも安全確保が容易である。また、搬送ロボット１は、堅牢な構造であり、且つ、高重量のため、強盗は搬送ロボット１を持ち去ることは非常に困難となる。更に、警備員２のリモコン２１により、威嚇動作を行う。即ち、警備員２のリモコン２１操作によってスタンガン１４を動作させ、強盗が搬送ロボット１を触れようとすると、電気ショックを与える。スピーカ１３から高音量を発生させ、周囲に強盗の存在を明らかできる。強盗は、搬送ロボット１を触れることすらできず、退散することとなる。
【０００８】
以下、搬送ロボット１について、図３から図６を参照して詳細に説明する。図３は、搬送ロボットの外観イメージ図である。図４は、搬送ロボット１の全体機能ブロックを示す図である。
搬送ロボット１は、画像や各種コマンドを無線信号として送受信する通信部１１、警備員２等の音声を入力するためのマイク１２、威嚇や音声ガイダンスを行うためのスピーカ１３、強盗に電気的な衝撃を加えるためのスタンガン１４、重要物を収納する重要物収納庫１５、搬送ロボット１の前方及び周辺を撮影する一又は複数のＣＣＤカメラ及び照明からなる撮影部１６、搬送ロボット１の前方にある物体までの距離を計測する前方測距センサ１７、搬送ロボット１の側方の所定距離内に障害物の有無を検出する側方センサ１９、現金輸送車３への登り／降り等を可能とするキャタピラ及び車輪である走行部１８、及びこれらを制御する制御部１０とから構成されている。
通信部１１は、監視センタ４及び警備員２との間にて、指示信号や画像などの状態情報を無線信号にて送受信する空中線である。すなわち、撮影部１６にて撮影した画像や異常発生信号を携帯電話回線やＰＨＳ等の無線回線５を介して監視センタ４に通報し、監視センタ４からの種々の遠隔制御コマンドの受信をする。また、警備員２の所持するリモコン２１から直接無線信号を受信することができる。
重要物収納庫１５は、金庫と同様な構造を有しており、衝撃に強く破壊行為、扉のこじ開け行為などに十分な強度を有している。また、重要物収納庫１５の扉は、特定の権限を有する者の音声認証がされなければ解錠できない。このため、重要物収納庫１５は、数百Ｋｇにもなり非常に質量が大きく、強盗が重要物収納庫の扉を開けて重要物を強奪するのが困難になっている。加えて、スタンガン１４は、搬送ロボット１の周辺部に複数設置されており、強盗が搬送ロボット１に触れるのを阻止し、触れた場合に電気ショックを与える。
制御部１０は、無線通信手段１０１、音声処理手段１０２、威嚇制御手段１０３、収納庫制御手段１０４、画像処理手段１０５、距離データ処理手段１０６、及び走行制御手段１０７とから構成されている。
無線通信手段１０１は、通信部１１を介して警備員２の所持するリモコン２１からの受信した信号を他の手段に対して伝達する。また、監視センタ４からの携帯電話網５・通信部１１を介して受信する各種コマンドを受信し、他の手段に対して伝達する。或いは、撮影部１６から撮影した画像や非常信号を監視センタ４に通報する。
音声処理手段１０２は、マイク１２から入力される音声を処理し、話者認識及び音声認識を行う。話者認識とは、重要物保管庫１５の開閉をする権限を有する者の予め登録した声紋情報と、入力された音声の声紋情報とを照合し、同一人物の音声であるか否かを判定する。ここで、予め登録される声紋情報は、搬送を担当している警備員２一人のものであっても良いし、他の警備員２や金融機関の担当者など複数人のものであっても良い。音声認識とは、入力された音声が予め登録されている音声との一致を判定し、音声の意味を認識する処理である。本実施の形態では、「扉オープン」または「扉クローズ」の２種類の音声を認識する。このように、話者認識及び音声認識を行った結果を収納庫制御手段１０４等にて使用する。
威嚇制御手段１０３は、スピーカ１３及びスタンガン１４を制御する。すなわち、強盗に襲われた場合に、警備員２がリモコン２１を操作して送信された非常信号を通信部１１から受信すると、スピーカ１３から高音量の威嚇音を発するとともに、スタンガン１４の電源をＯＮに制御する。また、監視センタ４からの威嚇停止信号を受信するまで、威嚇制御を継続する。
【０００９】
収納庫制御手段１０４は、重要物収納庫１５に対して、扉の開放又は閉鎖の制御を実行する。収納庫制御手段１０４の制御フローについて図５を参照して説明する。先ず、重要物収納庫１５の制御は、警備員２が所持するリモコン２１からの収納庫制御信号の受信により開始される。収納庫制御手段１０４は、収納庫制御信号を受信すると１分間のタイマーが起動する。そして、搬送ロボット１が現在待機モードに設定されているか否かを判定し（Ｓ５１０）、待機モードに設定されていれば音声入力を待つ（Ｓ５１１）。一方、待機中でなければ、搬送ロボット１が移動中のため、収納庫制御を行うことなく処理を終了させる（Ｓ５１０「いいえ」）。これにより、搬送ロボット１が走行中に誤って、重要物収納庫１５の扉が制御されることを防止する。音声入力が１分間のタイマー計時中に無かった場合にも、収納庫制御を終了させる（Ｓ５１２「はい」）。次に、音声入力があると（Ｓ５１１「はい」）、話者認証処理（Ｓ５１３）を音声処理手段１０２にて実行する。話者認証処理（Ｓ５１３）にて、重要物収納庫１５を制御する権限の有する正規な者の音声であるか判定する（Ｓ５１４）。ここで、正規な者の音声であれば（Ｓ５１４「はい」）、音声認識処理（Ｓ５１５）に進み、正規な者の音声でないと判定すると（Ｓ５１４「いいえ」）収納庫制御処理を終了させる。これにより、声紋というバイオメトリクス情報を用いて重要物収納庫１５を制御する権限管理を厳格に行うことが可能となる。つまり、強盗に襲われても、警備員２の音声を登録していなければ、重要物収納庫１５を制御できないので、重要物のみを盗まれる危険性が少なくなる。警備員２の音声を登録しておいても、警備員２は搬送ロボット１と離れた状態で、且つ、周囲を警戒しながらの搬送が可能なので、搬送ロボット１とともに捕らわれる可能性は低い。更に、音声を使用するので警備員２を殺害されると、強盗が重要物収納庫１５を開放できないので、殺害される可能性も低くなる。音声認識処理では、入力された音声が「扉オープン」であるか否かを音声処理手段１０２にて判定する（Ｓ５１６）。そして、「扉オープン」であれば、重要物収納庫１５の扉を開放させる（Ｓ５１７）。「扉オープン」でなければ、「扉クローズ」であるか否かを判定する（Ｓ５１８）。「扉クローズ」であれば、扉の閉鎖制御を行う（Ｓ５１９）。なお、「扉オープン」でも「扉クローズ」でもない場合は（Ｓ５１８「いいえ」）、意味不明であるので収納庫制御処理を終了させる。
【００１０】
次に、画像処理手段１０５について説明する。画像処理手段１０５は、撮影部１６の照明及び撮影のタイミング制御、撮影された画像から警備員２を抽出する処理を行う。すなわち、照明の点灯時と消灯時との画像を読み込み、両画像の差分画像を生成する。かかる差分画像に基づき、警備員２の画像領域を特定しラベリングする。また、ラベリングされた画像領域の実空間上における搬送ロボット１との相対位置を算出する。この処理を繰り返し、ラベリングされる画像領域を順次トラッキングする。このようにして、搬送ロボット１と警備員２との位置関係を画像処理によって随時算出し、走行制御手段１０７に提供する。また、撮影された画像を圧縮処理し、図示していない画像記憶部に記憶させる。
距離データ処理手段１０６は、前方測距センサ１７から入力される一次元の距離データに基づき、後述する警備員２として認識された一塊の距離データをラベリングし、ラベリングされた一塊の距離データの実空間上における搬送ロボット１との相対位置を算出する。この処理を繰り返し、ラベリングされる距離データを順次トラッキングする。このようにして、搬送ロボット１と警備員２との位置関係を距離データに基づき随時算出し、走行制御部に提供する。
走行制御手段１０７は、走行部１８の車輪及びキャタピラを画像処理手段１０５、距離データ処理手段１０６、側方測距センサ１９、図示しない各種姿勢センサなどに基づき、走行部１８の車輪及びキャタピラを制御する。
【００１１】
ここで、図６を参照して、走行制御手段１０７での追尾処理について説明する。
追尾モードは、警備員２が搬送ロボット１の正面に立ち、リモコン２１から送信された追尾開始信号を受信することにより開始する。追尾モードに設定されると、距離データ処理手段１０６及び画像処理手段１０５にて、画像領域及び一塊の距離データから追尾する警備員２をラベリングすることにより認識する（Ｓ６１０）。具体的には、距離データ処理手段１０６では、前方測距センサ１７にて収集される搬送ロボット１の正面から左右４５度の範囲にある物体の内、直近の同一物体とされる一塊の距離データをラベリングする。また、画像処理手段１０５では、搬送ロボット１の前方に照明を照射した画像と照明を照射していない画像の両方を取り込み、両画像の差分画像を抽出する。ここで、抽出される差分画像は、警備員２が着用している回帰反射材２２の画像が高輝度になる。この高輝度となった領域を一塊の画像データとしてラベリングする。そして、ラベリングされた距離データ及び画像データとが、略同一方向に存在していると、それぞれの一塊のデータ群を警備員２として認識する。ここで、警備員２と認識できない場合は、認識できるまでかかる処理を繰り返す。警備員２を認識できると、その旨をスピーカ１３から音声にて警備員２に知らせる。
次に、ラベリングされた一塊の距離データの追尾処理を開始する。すなわち、前方測距センサ１７からの所定時間ごとに距離データを取得し、先にラベリングした一塊の距離データに類似するトラッキング候補となる一塊の距離データを警備員２候補Ａとして抽出する処理を行う（Ｓ６１１）。次に、警備員候補Ａが抽出できたか否かを判定する（Ｓ６１２）。警備員候補Ａが抽出できなければ（Ｓ６１２「なし」）、前方測距センサ１７のサーチエリアを拡大する（Ｓ６１３）。拡大したサーチエリアにて再度警備員候補Ａの抽出を行う。ここで、サーチエリアの拡大が、図３に示すように最大値（例えば、左右９０度）になっても警備員候補Ａを抽出できない場合は（Ｓ６１４「はい」）、警備員２を見失ったと判断し走行を停止する（Ｓ６２２）。先ず、前方測距センサ１７のサーチエリアを例えば左右４５度として警備員２を認識し、警備員２をトラッキングできない場合にサーチエリアを拡大するので、追尾処理の高速化を図ることができる。
他方、警備員候補Ａが抽出できた場合は（Ｓ６１２「あり」）、警備員候補Ａが複数抽出されたか否か判断する。ここで、一つの警備員候補Ａであれば（Ｓ６１５「いいえ」）、その警備員候補Ａの一塊の距離データとしてトラッキングする（Ｓ６１９）。そして、トラッキングした一塊の距離データを走行目標とし、実空間上における相対位置を算出し、その結果に基づいて走行部１８の車輪駆動を制御する（Ｓ６２０）。
他方、複数の警備員候補Ａが抽出された場合は（Ｓ６１５「はい」）、画像処理手段１０５にて警備員候補Ｂを抽出する（Ｓ６１６）。そして、警備員候補Ａ及び警備員候補Ｂとの照合をする（Ｓ６１７）。すなわち、警備員候補Ａ及び警備員候補Ｂと搬送ロボット１との相対的方向が所定範囲内での一致する警備員候補Ａを抽出する。ここで、所定範囲内で一致する警備員候補Ａが抽出できない場合（Ｓ６１８「いいえ」）、又は複数抽出された場合には、警備員２が視界から外れた又は追尾対象不明と判断し、安全のため走行を停止する。他方、警備員候補Ａを一つに特定できれば（Ｓ６１８「はい」）、その警備員候補Ａにかかる一塊の距離データをトラッキングし、走行制御する（Ｓ６２０）。このように、距離データ処理手段のみでは、トラッキングを特定できない場合に、画像処理手段１０５による情報にて絞込みができる。これによって、トラッキングミスを防止でき、警備員２を確実に追尾できる。
これら一連の処理を追尾終了信号の受信まで繰り返す（Ｓ６１２「いいえ」）。そして、追尾終了信号を受信すると走行を停止し（Ｓ６２２）、追尾処理を終了する。走行が停止すると待機モードに設定される。
【００１２】
次に、搬送者が進行方向を変更した場合の搬送ロボットの動作について図７及び図８を参照して説明する。
図７は、搬送ロボットの走行制御を示すフロチャートである。
図８（Ａ）（Ｂ）（Ｃ）は、障害物Ａが有る場合の搬送ロボット１の動作を示す図である。
図８（Ａ）に示すように、搬送ロボット１は直進して搬送者２を追尾するときには搬送ロボット１の側方測距センサ１９の検知範囲（点線で示した範囲）は近距離に設定されているので、障害物Ａの横をそのまま通過することができる。
次に図８（Ｂ）のように搬送者２が横方向に移動した場合について説明する。
搬送ロボット１は搬送者２の移動した方向に向きを転回しようとする。しかし、そのまま転回したのでは点線で示したように障害物Ａと衝突してしまう。
そこで、搬送ロボット１は以下のように障害物を避けるように動作を行う。
搬送ロボット１は前方側距センサ１７にて搬送者２の横方向の移動を検知して、搬送者２と自らの位置関係より進行方向を認識（Ｓ７１０）。そして、自らの進行方向を転回しようとするときに必要な転回角度を計算する（Ｓ７１１）。すなわち、搬送者２が大きく移動したときには転回する角度も大きくなり、搬送者２の移動が小さいときには転回角度は小さくなる。
次に、Ｓ７１１で計算した転回角度に応じて側方側距センサ１９の検知距離を設定する（Ｓ７１２）。即ち、転回角度が大きい場合には検知距離を長く設定し、転回角度が小さい場合には検知距離を短く設定する。
次に、Ｓ７１３で設定した検知距離にて搬送ロボット１の側面の障害物を検知する。
ここで、障害物を検知しないときには（Ｓ７１３「いいえ」）、即ち転回しても障害物に衝突しないので、そのまま転回動作を行う（Ｓ７１６）。
又、図８（Ｃ）のように側面に障害物が検知された場合には転回動作を中止し（Ｓ７１４）、そのまま所定距離前進し（Ｓ７１５）、再度搬送者２と自らの位置関係より進行方向を検知する。（Ｓ７１０）以下、上述の動作を繰り返す。
【図面の簡単な説明】
【図１】本発明を適用した現金搬送システムの構成図。
【図２】警備員の服装及びリモコンの外観図。
【図３】搬送ロボットの外観図。
【図４】搬送ロボットの機能ブロック図。
【図５】搬送ロボットの収納庫制御フロー。
【図６】搬送ロボットの走行制御フロー。
【図７】搬送ロボットの障害物を回避する走行制御フロー。
【図８】搬送ロボットの障害物を回避する動作を示す図。
【符号の説明】
１・・・搬送ロボット
２・・・警備員
３・・・現金輸送車
４・・・監視センタ
５・・・携帯電話網
【図１】
2004126801.tif 000003
【図２】
2004126801.tif 000004
【図３】
2004126801.tif 000005
【図４】
2004126801.tif 000006
【図５】
2004126801.tif 000007
【図６】
2004126801.tif 000008
【図７】
2004126801.tif 000009
【図８】
2004126801.tif 000010